(57)【特許請求の範囲】
【請求項１】
（ａ）窓等を蝶番によって当該窓等の枠に回転自在に取りつけた窓等開閉器であって、
（ｂ）外筒と、
（ｃ）前記外筒内に摺動自在に収容された内挿部材と、
（ｄ）外筒に形成されたラチェット歯と、
（ｅ）内挿部材に回転自在に取りつけられ、内挿部材の伸長動作時において、伸長方向にはラチェット歯を乗り越え、縮小方向にはラチェット歯に掛止するラチェット爪と、
（ｆ）その当接部により、前記ラチェット爪をラチェット歯に対し係合方向に付勢し、また非係合位置に保持するための弾発手段と、
（ｇ）外筒の先端部に形成された、ラチェット爪を非係合位置に強制回転させる第１カムと、
（ｈ）外筒の基端部に形成された、ラチェット爪を係合位置に強制回転させる第２カムとからなり、
前記第１カムと第２カムとによる回転によって、ラチェット爪の後端が前記弾発手段の当接部を乗り越えうるように構成され、
前記弾発手段が、前記当接部である鋼球と、該鋼球を前記ラチェット爪の側面に押圧する方向へ付勢する圧縮コイルバネとからなり、前記鋼球および圧縮コイルバネを収容するホルダを有し、該ホルダが前記内挿部材に固着されてなる窓等開閉器。 
【発明の詳細な説明】
【０００１】
【発明の属する技術分野】
本発明は窓や扉の開度調整に用いられる窓等開閉器に関する。さらに詳しくは、とくに、窓の上棧を蝶番によって窓枠の上枠に取りつけ、窓を上向きに回動させて開ける形式の窓（以下、上開きの窓という）において好適に用いられる開閉器であって、とくにラチェット爪の付勢および保持を行なうための弾発手段の耐久性を向上させた開閉器に関する。
【０００２】
叙上の形式の窓として、たとえば天窓や欄間、排煙窓、換気窓などがある。
【０００３】
【従来の技術】
上開きの窓において、窓を一杯に開ききった位置で窓が勝手に閉まらないように支えるステーは従来よりあったが、窓を途中まで開けた状態でも支える機能を有する開閉器は、かつて存在していなかった。
【０００４】
そこで、本願出願人は、かかる不具合を解消するため、昭和６３年実用新案登録願第１２０６８９号において、窓を途中まで開けた位置でも支えることができる開度調整機能を有する開閉器を提案した。
【０００５】
かかる開度調整機能を有する開閉器は、図７〜８に示されるように、外筒５１と、前記外筒５１内に摺動自在に収容された内挿部材５２と、外筒５１に形成されたラチェト歯５３と、内挿部材５２に回転自在に取り付けられたラチェット爪５４と、内挿部材５２に取り付けられ、ラチェット爪５４に付勢力を与える弾発手段５５と、外筒５１の先端に形成され、ラチェット爪５４を非係合位置に強制回転させる第１カム５６と、外筒５１の基端部に形成され、ラチェット爪５４を係合位置に強制回転させる第２カム５７とから構成されている。
【０００６】
弾発手段５５は、板バネからなり、リベット５８で内挿部材５２に固着されている。板バネからなる弾発手段５５は、円弧状に形成された湾曲部５５ａと、その先端で外向きに折り曲げられた当接部５５ｂとを有している。
【０００７】
図７〜８に示される開閉器は、たとえば図９〜１２に示される窓に適用される。図９〜１２において、６１は窓で、上棧６２、下棧６３、縦棧６４を有している。窓６１の上棧６２は、蝶番６５で窓枠６６の上枠６７に取り付けられており、窓６１は窓枠６６に対して矢印Ａ方向に回動する。７０は図７〜８に示される開閉器であり、窓枠６６の縦枠６８と窓６１の縦棧６４とのあいだに取り付けられる。図９では、外筒５１を窓枠６６側に、内挿部材５２を窓６１側に取り付けているが、図１０に示されるように、外筒５１を窓６１側に内挿部材５２を窓枠６６側に取り付けてもよい。さらに、図１１〜１２に示されるように、窓枠６６側の取付位置を高く、窓６１側の取付位置が低くなるように取り付けてもよい。
【０００８】
図９の場合、外筒５１に回転自在に取り付けられた取付金具７１が縦枠６８に固着され、内挿部材５２に回転自在に取り付けられた取付金具７２が縦棧６４に固着されている。
【０００９】
図９のごとく取り付けられた開閉器７０は、窓６１を開ける途中では図７に示されるラチェット爪５４がラチェット歯５３に噛み合う。このとき、ラチェット爪５４の三角突起７３が弾発手段５５の当接部５５ｂによって係合方向（図７において反時計方向）に付勢されているため、ラチェット爪５４がラチェット歯５３から外れてしまうことがない。したがって、窓６１の開動作を中止してもラチェット爪５４がラチェット歯５３に係止して、窓６１は閉じないように保持される。
【００１０】
窓６１を閉じるときには、窓６１を全開位置からさらに押し開くことにより、図８に示されるように、第１カム５６によって、ラチェット爪５４は非係合方向へ（図８において時計方向へ）移動され、そのとき三角突起７３が当接部５５ｂの外側（図８において右側）へ押し出され、ラチェット爪５４がラチェット歯５３に係合しない非係合位置に保持される。そののち、窓６１はラチェット爪５４によって係止されることなく自由に閉じることができる。
【００１１】
窓６１を完全に閉じたとき、図７に示されるように、第２カム５７によって、ラチェット爪５４は係合方向へ（図７において反時計方向へ）移動され、そのとき三角突起７３が当接部５５ｂの内側（図７において左側）へ移動され、ラチェット爪５４がラチェット歯５３に係合しう位置に戻される。
【００１２】
【発明が解決しようとする課題】
しかし、図７〜８に示される開閉器は、弾発手段５５として板バネを採用しているため、変形したり、疲労したりまたは磨耗しやすいなどの問題がある。そのため、ラチェット爪５４に対して所望の付勢力および保持力が与えられなくなり、動作不良が生じやすくなる場合がある。
【００１３】
本発明はかかる問題を解消するためになされたものであり、ラチェット爪の付勢および保持を行なうための弾発手段の耐久性を向上させた窓等開閉器を提供することを目的とする。
【００１４】
【課題を解決するための手段】
本発明の窓等開閉器は、（ａ）窓等を蝶番によって当該窓等の枠に回転自在に取りつけた窓の開閉器であって、
（ｂ）外筒と、
（ｃ）前記外筒内に摺動自在に収容された内挿部材と、
（ｄ）外筒に形成されたラチェット歯と、
（ｅ）内挿部材に回転自在に取りつけられ、内挿部材の伸長動作時において、伸長方向にはラチェット歯を乗り越え、縮小方向にはラチェット歯に掛止するラチェット爪と、
（ｆ）その当接部により、前記ラチェット爪をラチェット歯に対し係合方向に付勢し、また非係合位置に保持するための弾発手段と、
（ｇ）外筒の先端部に形成された、ラチェット爪を非係合位置に強制回転させる第１カムと、
（ｈ）外筒の基端部に形成された、ラチェット爪を係合位置に強制回転させる第２カムとからなり、
前記第１カムと第２カムとによる回転によって、ラチェット爪の後端が前記弾発手段の当接部を乗り越えうるように構成され、
前記弾発手段が、前記当接部である鋼球と、該鋼球を前記ラチェット爪の側面に押圧する方向へ付勢する圧縮コイルバネとからなることを特徴とするものである。
【００１５】
また、前記鋼球および圧縮コイルバネを収容するホルダを有し、該ホルダが前記内挿部材に固着されてなるのが好ましい。
【００１６】
【発明の実施の形態】
つぎに図面を参照しながら本発明の窓等開閉器を詳細に説明する。図１は本発明の窓等開閉器の一実施の形態にかかわる分解斜視図、図２は図１の開閉器の一部部分断面平面図および図３〜６は図１の開閉器の動作を示す動作説明図である。
【００１７】
図１に示される開閉器は、図７〜８に示される従来の開閉器と比較して、弾発手段５が板バネの代わりに鋼球２８および圧縮コイルばね２９を採用した点で大きく異なり、その他の点ではほぼ構成が共通している。
【００１８】
すなわち、図１に示される開閉器は、外筒１と、前記外筒１内に摺動自在に収容された内挿部材２と、外筒１に形成されたラチェット歯３と、内挿部材２に回転自在に取り付けられたラチェット爪４と、内挿部材２に取り付けられ、ラチェット爪４に付勢力を与える弾発手段５と、外筒１の先端に形成され、ラチェット爪４を非係合位置に強制回転させる第１カム６と、外筒１の基端部に形成され、ラチェット爪４を係合位置に強制回転させる第２カム７とから構成されている。
【００１９】
図１に示される開閉器は、前述の図７〜８に示される開閉器と同様に、図９〜１２に示されるように窓６１および窓枠６６に取り付けて使用される。
【００２０】
外筒１は、断面Ｃ形の長尺材であって、底部８と２枚の側壁９と２枚の側縁１０とからなる。一方の側縁１０には長手方向に沿って、ラチェット歯３が形成されている。この連続するラチェット歯３の最先端の歯は第１カム６となっている。
【００２１】
外筒１の基端部には、取付金具１１を取りつけるための孔１ａが穿孔されている。取付金具１１はプレート１２と軸１３からなり、孔１ａに通された軸１３にはワッシャ１４、第２カム７の孔７ａ、カバー１５の孔１５ａを通してＣ形クリップ１６が止められる。前記第２カム７は斜面に形成されたカム面７ｂを有している。
【００２２】
外筒１の先端部では内周に合成樹脂製の滑動部材１７が嵌められている。この滑動部材１７は断面Ｕ字状の部材で内挿部材２の外表面に接触する。
【００２３】
内挿部材２は、長尺の板状部材である。その基端には断面Ｃ形の合成樹脂製の滑動部材１８が固定されている。内挿部材２の基端部において、ラチェット爪４が軸１９で回転自在に取り付けられている。そして、このラチェット爪４には、爪部２０とカムフォロア２１と、たとえば三角状の突起２２が一体に形成されている。内挿部材２の先端部には孔２３が形成されており、取付金具２４の軸２５が通されるようになっている。２６はプレート、２７はＣ形クリップである。
【００２４】
さらに、板状の内挿部材２には、長手方向に沿って補強用の突条３４が形成されている。
【００２５】
弾発手段５は、当接部である鋼球２８と、該鋼球２８を前記ラチェット爪４の側面に押圧する方向へ付勢する圧縮コイルバネ２９とから構成されている。したがって、従来の開閉器のように、弾発手段として板バネを用いた場合と比較して、変形、疲労および磨耗の心配がなく、大幅に耐久性を向上することができる。
【００２６】
さらに、図１〜２に示される開閉器は、前記鋼球２８および圧縮コイルバネ２９を収容するホルダ３０を有している。ホルダ３０は、前記内挿部材２に対してリベット３１によって固着されている。ホルダ３０の内部では圧縮コイルバネ２９が圧縮状態で収納され、鋼球２８の一部がホルダ３０から突出することにより、ラチェット爪４に押圧されている。そのため、ホルダ３０が鋼球２８および圧縮コイルバネ２９を所定の方向へ正確に案内するため、鋼球２８および圧縮コイルバネ２９がずれたり、脱落するなどの心配がない。
【００２７】
つぎに、図１〜２に示される本実施の形態の開閉器を前述の図９のごとく取り付けたときの動作を説明する。
【００２８】
前記窓６１が閉じられているときの開閉器は図２に示されているように、内挿部材２が外筒１内に収容され、最縮小した状態にある。
【００２９】
前記窓６１を開けていくときの状態が図３に示されている。このとき、ラチェット爪４の爪部２０はラチェット歯３を乗り越えて伸長方向に移動する。すなわち、ラチェット爪４の三角突起２２が圧縮コイルバネ２９によって付勢された鋼球２８で押されているので、爪部２０がラチェット歯３から外れてしまうことはない。そのため、前記窓６１を開窓操作を中止しても、爪部２０がラチェット歯３に掛止して窓６１は勝手に閉じないように保持される。
【００３０】
したがって、本実施の形態の開閉器は、振動などによりラチェット爪４がラチェット歯３から外れようとした場合、外れる方向に動くほど弾発手段５の撓み量（すなわち、圧縮コイルバネ２９の縮み量）が増すことにより、ラチェット爪４に対する係合方向への付勢力も増加する。したがって伸長動作中、振動などの外力に対しても、確実にラチェット爪４を係合位置に保持できる。
【００３１】
窓６１を閉じる場合には、一旦、窓６１を最大に開けばよい。このとき、図４に示されるように、内挿部材２のラチェット爪４近傍の位置に形成された突起３２が外筒１先端付近に形成された突起３３に当り、伸長動作が止められる。そのとき、第１カム６が爪部２０を強制的に非係合方向に押し動かし、ついには三角突起２２が鋼球２８を乗り越え、鋼球２８の外側（図中右側）へ押し出される。この状態で、ラチェット爪４は鋼球２８によって非係合位置、すなわち爪部２０がラチェット歯３に係合し得ない位置に保持される。
【００３２】
したがって、前記窓６１から手を離すと、あるいは窓６１を軽く引き下げると、ラチェット爪４はラチェット歯３と一切係合しないので（図５参照）、窓６１を自由に閉じることができる。
【００３３】
ラチェット爪４が非係合位置にある場合も前記と同様に、非係合位置から外れる方向に移動すればするほど、ラチェット爪４を非係合位置へ戻そうとする弾発手段５（すなわち、圧縮コイルバネ２９）の付勢力が増加し、ラチェット爪４を安定して非係合位置に保持することができる。
【００３４】
そして、窓６１がほぼ閉じられた状態になると、図６に示されるように、カムフォロアー２１が第２カム７に当接して、爪部２０を強制的に係合位置へ押し動かすので元の状態（図２参照）に復帰する。
【００３５】
なお、本実施の形態の開閉器は前述の図９〜１２の取付状態においても、同様に作動して前記窓６１を開閉、保持することができる。
【００３６】
【発明の効果】
本発明によれば、鋼球と圧縮コイルバネとからなる弾発手段を採用することにより、従来の板バネからなる弾発手段と比較して変形、疲労および磨耗の心配がなく、大幅に耐久性を向上することができる。
【図面の簡単な説明】
【図１】本発明の窓の開閉器の一実施の形態にかかわる分解斜視図である。
【図２】図１の開閉器の一部部分断面平面図である。
【図３】図１の開閉器の動作を示す動作説明図である。
【図４】図１の開閉器の動作を示す動作説明図である。
【図５】図１の開閉器の動作を示す動作説明図である。
【図６】図１の開閉器の動作を示す動作説明図である。
【図７】従来の開閉器の一部部分断面平面図である。
【図８】図７の開閉器の動作を示す平面図である。
【図９】図７の開閉器を窓に取り付けた状態の断面図である。
【図１０】図７の開閉器を窓に取り付けた状態の断面図である。
【図１１】図７の開閉器を窓に取り付けた状態の断面図である。
【図１２】図７の開閉器を窓に取り付けた状態の断面図である。
【符号の説明】
１  外筒
２  内挿部材
３  ラチェット歯
４  ラチェット爪
５  弾発手段
６  第１カム
７  第２カム
２８  鋼球
２９  圧縮コイルバネ
【図１】
0003691968.tif 000002
【図２】
0003691968.tif 000003
【図３】
0003691968.tif 000004
【図４】
0003691968.tif 000005
【図５】
0003691968.tif 000006
【図６】
0003691968.tif 000007
【図７】
0003691968.tif 000008
【図８】
0003691968.tif 000009
【図９】
0003691968.tif 000010
【図１０】
0003691968.tif 000011
【図１１】
0003691968.tif 000012
【図１２】
0003691968.tif 000013